(57)【要約】【課題】OPCを安定に行い、記録品質を向上させることができる記録装置および記録媒体への記録方法を提供することを目的とする。【解決手段】記録媒体Ｄにデータを記録する記録手段２０と、記録媒体Ｄにデータを記録する際にレーザーを発光するレーザー光源ＰＩＣと、予め測定されたレーザー光源ＰＩＣの出力特性を記憶するフラッシュメモリFMと、記録手段２０を制御する制御手段６０と、を有し、記録手段２０は、記録媒体Ｄに試し書きを行ってその書込みデータの再生信号波形から記録媒体Ｄにデータを記録する際の最適なレーザーパワーを選択する選択手段２２を有し、制御手段６０は、フラッシュメモリFMからレーザー光源ＰＩＣの出力特性を読み出し、出力特性にしたがって、選択手段２２が試し書きする際に基準となるレーザーパワーの値を補正する補正手段６０Ａと、を有する。【選択図】図３
2009087437.tif 000002
【特許請求の範囲】
【請求項１】
記録媒体にデータを記録する記録手段と、
前記記録媒体にデータを記録する際にレーザーを発光するレーザー光源と、
予め測定された前記レーザー光源の出力特性を記憶するメモリと、
前記記録手段を制御する制御手段と、を有し、
前記記録手段は、前記記録媒体に試し書きを行ってその書込みデータの再生信号波形から前記記録媒体にデータを記録する際の最適なレーザーパワーを選択する選択手段を有し、
前記制御手段は、前記メモリから前記レーザー光源の出力特性を読み出し、前記出力特性にしたがって、前記選択手段が試し書きする際に基準となるレーザーパワーの値を補正する補正手段と、を有する記録装置。
【請求項２】
前記メモリに記録される前記レーザー光源の出力特性は、前記レーザー光源に所定の入力信号を入力した際の出力レーザーパワーの値であって、
前記補正手段は、前記メモリに記録された２つの前記出力レーザーパワーから予め測定された前記レーザー光源の出力レーザーパワーに対する予め設定された前記レーザー光源の出力レーザーパワーの傾きの値を算出し、前記傾きの値から前記記録媒体にデータを記録する際の最適なレーザーパワーを選択する手段である請求項１記載の記録装置。
【請求項３】
予め測定されたレーザー光源の出力特性をメモリから読み出すステップと、
記録媒体に記録する際の基準となるレーザーパワーをテーブルから参照するステップと、
前記出力特性に応じて、前記基準となるレーザーパワーの値を補正する補正ステップと、
補正後の前記基準となるレーザーパワーを含む所定の範囲のレーザーパワーで前記記録媒体に試し書きを行う試し書きステップと、
前記試し書きによって書き込まれたデータの再生信号波形から前記記録媒体にデータを記録する際の最適なレーザーパワーを選択するステップと、を有する記録媒体への記録方法。
【請求項４】
前記補正ステップは、前記レーザー光源の出力特性、前記レーザー光源に所定の入力信号を入力した際のレーザーパワー値を読み出すステップと、
２つの前記レーザーパワー値から、予め測定された前記レーザー光源の出力レーザーパワーに対する予め設定された前記レーザー光源の出力レーザーパワーの傾きの値を算出するステップと、
前記傾きの値から前記基準となるレーザーパワーの値を補正するステップと、をさらに有する請求項３記載の記録媒体への記録方法。
【請求項５】
前記試し書きステップにおいて、前記基準となるレーザーパワーを中心とした所定の範囲において、前記記録媒体に試し書きを行う請求項３記載の記録媒体への記録方法。
【発明の詳細な説明】
【技術分野】
【０００１】
本発明は、記録装置および記録媒体への記録方法に関する。
【背景技術】
【０００２】
光ディスク装置等の記録装置において、記録媒体である光ディスクに記録を始める際には、ディスク膜の記録感度、温度、レーザー波長変動による記録状態の違いなどにより、レーザー記録パワーを調整するOPC（Optimum Power Control）を行う。ＯＰＣを行う際には、光ディスク内周部のＰＣＡ（Power Calibration Area）にいくつかのレーザー記録パワーで試し書きを行い、その試し書き部分を読み出して、一定の評価基準にしたがって、最適なレーザー記録パワーを見つけ出す。
【０００３】
レーザー記録パワーを変化させる際には、基準となるレーザー記録パワーとして、光ディスク装置内に記憶されたテーブルに基づいて、記録メディア毎に設定された固定値を用いる。
【０００４】
ここで、光ディスク装置に取り付けられるピックアップのレーザーパワーが、製品規格より外れていた場合には、試し書きの際のレーザー記録パワーが所望の値とならず、最適なレーザー記録パワーを見つけるための時間が長くなったり、ＯＰＣに失敗したりすることがあった。すなわち、ＯＰＣを安定して行うことが難しく、記録品質が低下する場合があった。
【０００５】
従来、発光パワーに対応した基準電圧値を製造工程などで求めた値により設定し、ライト発光させて光量レベルを調整するものが提案されている（特許文献１参照）。この記録装置では、基準電圧値は、APC部比較器の基準電圧に使用しており、電圧最大設定値を求めるために使われている。電圧最大設定値を変えることにより、LD駆動電流の最大値として出来るだけ多く流し、さらに分解能が変わるので設定誤差を小さくするものである。
【特許文献１】特開２００５−６３５４６号公報
【発明の開示】
【発明が解決しようとする課題】
【０００６】
しかし、上記の場合ではLD駆動電流に基づく、設定誤差を小さくするためだけの内容であり、OPC時のレーザーパワーを変化させる範囲を安定化させることは難しかった。
【０００７】
本発明は上記の問題点に鑑みて成されたものであって、OPCを安定に行い、記録品質を向上させることができる記録装置および記録媒体への記録方法を提供することを目的とする。
【課題を解決するための手段】
【０００８】
本発明の第１態様に係る記録装置は、記録媒体にデータを記録する記録手段と、前記記録媒体にデータを記録する際にレーザーを発光するレーザー光源と、予め測定された前記レーザー光源の出力特性を記憶するメモリと、前記記録手段を制御する制御手段と、を有し、前記記録手段は、前記記録媒体に試し書きを行ってその書込みデータの再生信号波形から前記記録媒体にデータを記録する際の最適なレーザーパワーを選択する選択手段を有し、前記制御手段は、前記メモリから前記レーザー光源の出力特性を読み出し、前記出力特性にしたがって、前記選択手段が試し書きする際に基準となるレーザーパワーの値を補正する補正手段と、を有する。
【０００９】
本発明の第２態様に係る記録媒体への記録方法は、予め測定されたレーザー光源の出力特性をメモリから読み出すステップと、記録媒体に記録する際の基準となるレーザーパワーをテーブルから参照するステップと、前記出力特性に応じて、前記基準となるレーザーパワーの値を補正する補正ステップと、補正後の前記基準となるレーザーパワーを含む所定の範囲のレーザーパワーで前記記録媒体に試し書きを行う試し書きステップと、前記試し書きによって書き込まれたデータの再生信号波形から前記記録媒体にデータを記録する際の最適なレーザーパワーを選択するステップと、を有する。
【発明の効果】
【００１０】
本発明によれば、OPCを安定に行い、記録品質を向上させることができる記録装置および記録媒体への記録方法を提供することができる。
【発明を実施するための最良の形態】
【００１１】
以下に、本発明の一実施形態に係る記録装置および記録媒体への記録方法について図面を参照して説明する。図１に示すように、本実施形態に係る記録装置は、記録媒体としての光ディスクＤに対して情報の記録及び再生を行う光ディスク装置である。本実施形態に係る光ディスク装置は、データ再生部１０、データ記録部２０と、光ディスクＤにデータを再生および記録する際にレーザーを発光するレーザー光源としてのピックアップＰＩＣと、予め測定されたピックアップＰＩＣの出力特性を記憶するフラッシュメモリFMと、データ再生部およびデータ記録部２０を制御する制御手段としてのＣＰＵ６０とを有している。
【００１２】
光ディスクＤは、同心円状、又は螺旋状に溝が刻まれており、溝の凹部をランド、凸部をグルーブと呼び、グルーブ又はランドの一周をトラックと呼ぶ。ユーザデータは、このトラック（グルーブのみ又はグルーブ及びランド）に沿って強度変調されたレーザー光が照射されそして記録マークが形成されることで、記録される。
【００１３】
データ再生は、記録時より弱いリードパワー(read power)のレーザー光がトラックに沿って照射され、そしてトラック上にある記録マークによる反射光強度の変化が検出されることにより行われる。記録されたデータの消去は、前記リードパワーより強いイレーズパワー(erase power)のレーザー光がトラックに沿って照射され、そして記録層が結晶化されることにより行われる。
【００１４】
光ディスクＤはスピンドルモータ７２によって回転駆動される。光ディスクＤに対する情報の記録、再生は、ピックアップＰＩＣによって行われる。ピックアップＰＩＣは、送りモータ７４とギアとスクリューシャフトを介して連結されている。送りモータ７４がドライバ５０からのモータ駆動電流により回転することにより、ピックアップＰＩＣが光ディスクＤの半径方向に移動する。
【００１５】
ピックアップＰＩＣには、図示しないワイヤ或いは板バネによって支持された対物レンズ２が設けられている。対物レンズ２は、駆動コイル（図示せず）により駆動されて、フォーカシング方向（レンズの光軸方向）への移動が可能であり、また、駆動コイル（図示せず）により駆動されて、トラッキング方向（レンズの光軸と直交する方向）への移動が可能である。
【００１６】
制御部ＣＴＲは、ドライバ５０を制御して、光ディスクＤへの情報記録時（マーク形成時）に、ホストコンピュータからインタフェース回路３０を介して供給される記録データに基づいて、書き込み用信号をレーザー光源としてのレーザーダイオード（レーザー発光素子）ＬＤに提供させる。
【００１７】
レーザーダイオードＬＤは、ドライバ５０から供給される駆動電流に応じてレーザー光を発生する。レーザーダイオードＬＤから発せられるレーザー光は、ハーフプリズム４、対物レンズ２を介して光ディスクＤ上に照射される。光ディスクＤからの反射光は、対物レンズ２、ハーフプリズム４を介して、フォトディテクタＦＤに導かれる。
【００１８】
フォトディテクタＦＤは、例えば４分割の光検出セルから成り、これら光検出セルの検知信号はＲＦアンプＡＭＰに出力される。ＲＦアンプＡＭＰは光検知セルからの信号を処理し、データ再生部１０、物理復調部４０、および制御部ＣＴＲに処理後の信号を出力する。
【００１９】
データ再生部１０には、フォトディテクタＦＤで生成された光検知セル信号の全加算信号である再生信号が入力される。制御部ＣＴＲは、例えば、合焦点位置からの誤差を示すフォーカスエラー信号、レーザー光のビームスポット中心とトラック中心との誤差を示すトラッキングエラー信号等の制御信号を生成し、制御信号にしたがって、ドライバ５０を駆動させる。
【００２０】
ドライバ５０はフォーカスエラー信号に応じてフォーカス駆動信号を生成する。フォーカス駆動信号はフォーカシング用の駆動コイルに供給される。これにより、レーザー光が光ディスクＤの記録膜上に常時ジャストフォーカスとなるフォーカスサーボが行われる。
【００２１】
ドライバ５０は、トラッキングエラー信号に応じてトラッキング駆動信号を生成する。トラッキング駆動信号は、トラッキング用の駆動コイルに供給される。これによりレーザー光が光ディスクＤ上に形成されたトラック上を常にトレースするトラッキングサーボが行われる。
【００２２】
上記フォーカスサーボおよびトラッキングサーボがなされることで、フォトディテクタＦＤの各光検出セルの出力信号の全加算信号には、記録情報に対応して光ディスクＤのトラック上に形成された記録マークなどからの反射光の変化が反映される。この信号は、データ再生部１０に供給される。データ再生部１０は、ＰＬＬ部１２と、同期検出部１４と、復調部１６と、訂正部１８とを有している。
【００２３】
ＰＬＬ部１２は、ＲＦアンプＡＭＰから入力された再生信号に基づいて、再生用のクロック信号を発生する。ＰＬＬ部１２で発生されたクロック信号に基づいて、同期検出部１４は再生信号の同期をとり、復調部１６が再生信号を復調する。さらに、訂正部１８は、復調後の再生信号とパリティとを比較して再生信号を訂正する。データ再生部１０から出力された再生信号はメモリＭに記憶され、インタフェース回路３０を経由してホストコンピュータに出力される。
【００２４】
光ディスクＤに情報を記録する際には、ホストコンピュータからインタフェース回路３０を介してメモリに記憶された情報をデータ記録部２０において処理を行う。データ記録部２０は、パリティ付加部２６と、変調部２４と、パワー選択部２２とを有している。
【００２５】
パリティ付加部２６では、メモリＭから読み出した情報データに、記録された情報データが読み出された際にエラーを訂正するために用いるパリティ情報を付加する。変調部２４は、パリティ情報が付加された情報データを変調する。
【００２６】
パワー選択部２２は、情報データを光ディスクに記録する際に、レーザー記録パワーの最適な大きさを選択するＯＰＣを行う。例えば、図４に示すように、レーザー記録パワーを例えば６つのステップで変化させて光ディスクＤに試し書きを行う。このとき、レーザー記録パワーを変化させる際の基準となるレーザー記録パワーとして、例えば、光ディスク装置内に記憶されたテーブルに基づいて、記録メディア毎に設定された固定値を用いる。図４に示す場合では、レーザー記録パワーの基準値を２０ｍＷとし、１７ｍＷから２３ｍＷの範囲でレーザー記録パワーを変化させている。
【００２７】
そして、それぞれのレーザー記録パワーで書込みを行ったデータを再生し、得られ再生信号波形が図５に示すように閾値ＣＬに対して上下対象となるときのレーザー記録パワー０を見つけ出し、そのレーザー記録パワーを最適なレーザー記録パワーとする。
【００２８】
ここで、本実施形態に係る光ディスク装置では、予め行ったピックアップＰＩＣの検査によって得られたデータがフラッシュメモリFMに記憶され、この検査データを用いてＯＰＣを行う際にピックアップＰＩＣに入力する電流値を補正している。
【００２９】
すなわち、ピックアップＰＩＣを光ディスク装置に組み込む前に、個々のピックアップＰＩＣについて所望のレーザーパワーが得られるか否か検査が行われる。例えば、ピックアップＰＩＣについて、図２に示すように、規格のレーザーパワーと外れた測定結果が得られることがある。図２に示す場合では、規格にしたがってピックアップＰＩＣのレーザーパワーが３０ｍＷとなるように発光させた場合であっても、実際には２６ｍＷで発光するという測定結果が得られている。
【００３０】
図２に示すような規格から外れた出力特性を有するピックアップＰＩＣが取り付けられた光ディスク装置においてＯＰＣを行うと、図７に示すように、ピックアップＰＩＣから基準となるレーザー記録パワーを含む所定の範囲でレーザーを出力させたつもりでも、実際にはことなるレーザー記録パワーで試し書きを行っていることとなる。
【００３１】
そのため、試し書きを行ったデータの再生信号波形から閾値ＣＬに対して上下対象となるときのレーザー記録パワーを見つけ出したとしても、そのレーザー記録パワーが最適なものではないことがある。さらに、所望のレーザーパワーで発光していないために、最適なレーザー記録パワーを見つけ出すために時間を要し、ＯPCに失敗する可能性もある。
【００３２】
そこで、本実施形態に係る光ディスク装置では、制御部６０は、規格から外れた出力特性を有するピックアップＰＩＣが光ディスク装置に組み込まれた場合に、図２および図３に示すように、パワー選択部２２がＯPCを行う際に基準となるレーザー記録パワーの値を補正する補正部６０Ａを有している。
【００３３】
すなわち、ＣＰＵ６０の補正部６０Ａは、例えば図２に示すような出力特性を有するピックアップＰＩＣの場合には、図３に示すように、基準となるレーザー記録パワー（２０ｍＷ）を得るために、レーザー記録パワーが２２ｍＷとなるように発光するような規格上の電流値がピックアップＰＩＣに入力されるように補正することとなる。
【００３４】
具体的には、補正部６０Ａは、フラッシュメモリFMに記憶されたピックアップＰＩＣのレーザーパワーの値から、予め測定されたピックアップＰＩＣから出力レーザーパワーに対するピックアップＰＩＣの設定されたレーザーパワーの傾きを算出する。本実施形態に係る光ディスク装置の場合、図２および図３に示すように、補正部６０Ａにおいて算出される傾きの値は１．２５（（３０−１０）／（２６−１０））となる。例えば、設定された基準となるレーザー記録パワーの値が２０ｍＷの場合には、補正部６０Ａは、この傾きの値から、補正後の基準となるレーザー記録パワーとして２２ｍＷを算出する。
【００３５】
上記のように補正をすると、ピックアップＰＩＣの出力が規格から外れたものであっても、図６に示すように、ＯＰＣを行う際のレーザー記録パワーの基準となる値が２２ｍＷ、レーザー記録パワーを変化させる範囲が１８．７ｍＷから２５．３ｍＷとなる。
【００３６】
本実施形態に係る光ディスク装置では、ピックアップＰＩＣが図２に示すような出力特性を有するため、上記のように補正を行うことによって、実際にピックアップＰＩＣから出力されるレーザー記録パワーを、基準となるレーザー記録パワーが２２ｍＷ、レーザー記録パワーを変化させる範囲が１８．７ｍＷから２５．３ｍＷとなり、ピックアップＰＩＣから所望のレーザー記録パワーでレーザー光を出力させることができる。
【００３７】
したがって、図２に示すような出力特性を有するピックアップＰＩＣが光ディスク装置に組み込まれた場合であっても、図６に示すように、個々のレーザー記録パワーで試し書きをしたデータの再生信号波形から、閾値ＣＬに対して上下対象となっている際のレーザーパワーを見つけ出すことによって、最適なレーザー記録パワーを選択することができる。
【００３８】
すなわち、上記のようにＯＰＣの試し書きの際にピックアップＰＩＣに入力する電流値を補正することによって、ＯＰＣを行う時間の短縮ができ、さらにはＯＰＣが失敗することを回避することができる。その結果、本実施形態に係る記録装置によれば、OPCを安定に行い、記録品質を向上させることができる記録装置を提供することができる。
【００３９】
次に、上記の光ディスク装置における光ディスク記録方法について以下に説明する。まず、光ディスクへの記録を開始する前に、図８に示すように、本実施形態に係る光ディスク装置を組み立てる際の工程について説明する。
【００４０】
ピックアップＰＩＣの検査を行い、この検査の際に記録されたレーザーパワーを２点測定する（ステップＳＡ１）。本実施形態では、例えば、規格上で１０ｍＷの出力が得られる電流をピックアップＰＩＣに入力した場合と、規格上で３０ｍＷの出力が得られる電流をピックアップＰＩＣに入力した場合との２点について測定している。
【００４１】
次に、それぞれのピックアップＰＩＣに、例えば、測定された２点のレーザーパワーの値を読取ることが可能な２次元コードを付して、ピックアップＰＩＣに測定結果を書き込み（ステップＳＡ２）、その後、ピックアップＰＩＣを光ディスク装置に組み込む（ステップＳＡ３）。このように、光ディスク装置を組み立てて、ピックアップＰＩＣに付された２次元コードから読取られた２点のレーザーパワーの値をフラッシュメモリFMに記憶および保存させる（ステップＳＡ４）。
【００４２】
次に、図９に示すように、光ディスクへの書込みを行う。すなわち、最初に、情報が書き込まれる光ディスクＤを光ディスク装置に挿入される（ステップＳＢ１）。次に、ＣＰＵ６０は、挿入された光ディスクＤが記録メディアであるか否かを判断し（ステップＳＢ２）、記録メディアである場合には、補正部６０ＡがメモリＭに記憶された２点のレーザーパワーの値から、予め測定された前記レーザー光源の出力レーザーパワーに対する予め設定された前記レーザー光源の出力レーザーパワーの傾きの値その２点を通る直線の傾きを求める（ステップＳＢ３）。
【００４３】
次に、光ディスク装置内にあるテーブルから、挿入された記録メディアに適合した基準となるレーザー記録パワーを参照する（ステップＳＢ４）。そして、図３に示すように、参照された基準となるレーザー記録パワーの値を、２点のレーザーパワーの値を通る直線上にのせてレーザー記録パワーの値を求める（ステップＳＢ５）。
【００４４】
次に、求めたレーザー記録パワーを基準となるレーザー記録パワーとし、（ステップＳＢ６）、その基準の値を含む所定の範囲を光ディスクＤに試し書きを行うレーザー記録パワーの範囲とする（ステップＳＢ７）。本実施形態に係る光ディスク装置の場合は、補正後の基準となるレーザー記録パワーの値を中心とした所定の範囲において、光ディスクＤに試し書きをするように設定する。そして、設定されたレーザー記録パワーの範囲で記録メディアに試し書きを行い、ＯＰＣを実施する（ステップＳＢ８）。
【００４５】
上記のように、補正を行うことによって、図２に示すような出力特性を有するピックアップＰＩＣが光ディスク装置に組み込まれた場合であっても、図６に示すように、個々のレーザー記録パワーで試し書きをしたデータの再生信号波形から、閾値ＣＬに対して上下対象となっている際のレーザーパワーを見つけ出すことによって、最適なレーザー記録パワーを選択することができる。
【００４６】
すなわち、上記のようにピックアップＰＩＣに検査工程で測定した値を用いて、ＯＰＣの試し書きの際にピックアップＰＩＣに入力する電流値を補正することによって、ＯＰＣを行う時間の短縮ができ、さらにはＯＰＣが失敗することを回避することができる。その結果、本実施形態に係る記録装置によれば、OPCを安定に行い、記録品質を向上させることができる記録媒体への記録方法を提供することができる。
【００４７】
また、上記のように補正を行うと、記録媒体に試し書きをする際に基準となるレーザー記録パワーを中心とした所定の範囲を従来よりも狭くすることができる。そのため、本実施形態に係る光ディスク装置および光ディスク記録方法は、OPCを行う際にレーザー記録パワーの範囲を大きく取れない記録媒体に対して特に有効となる。
【００４８】
さらに、記録媒体に試し書きをする際に基準となるレーザー記録パワーを中心とした所定の範囲を従来よりも狭くすることができることから、光ディスク装置の製造歩留まりを改善することができる。
【００４９】
また、記録媒体に試し書きをする際に基準となるレーザー記録パワーを中心とした所定の範囲を従来よりも狭くすることができることから、パワー選択部２２において再生信号波形の上下対象性を求める際、線形成の整った部分で求めることができるため、記録品質の向上させることができる。
【００５０】
また、上記のように補正を行うことによって、予め最適なレーザー記録パワーを学習させる必要がなくなる。その結果、光ディスク装置の製造工程において、工程数を削減することができ、さらに、学習に用いられる光ディスクを削減することができる。
【００５１】
なお、この発明は、上記実施形態そのままに限定されるものではなく、実施段階ではその要旨を逸脱しない範囲で構成要素を変形して具体化できる。
【００５２】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００５３】
【図１】本発明の一実施形態に係る記録装置の構成例を概略的に示す図。
【図２】図１に示す記録装置のピックアップについて、記録装置に組み込む前の検査結果の一例を示す図。
【図３】図２に示す検査結果から、記録媒体へ試し書きをする際の基準となるレーザー記録パワーを求める方法の一例を説明するための図。
【図４】記録媒体に試し書きをしたデータの再生信号波形から最適なレーザー記録パワーを見つける方法の一例を説明するための図。
【図５】記録媒体に試し書きをしたデータの再生信号波形の一例を示す図。
【図６】補正後のレーザーパワーで記録媒体にデータを記録した際の再生信号波形から最適なレーザー記録パワーを見つける方法の一例を説明するための図。
【図７】補正をしなかったレーザーパワーで記録媒体にデータを記録した際の再生信号波形から最適なレーザー記録パワーを見つける方法の一例を説明するための図。
【図８】図１に示す記録装置のピックアップについて、記録装置に組み込む前に行う検査工程の一例を説明するためのフローチャート。
【図９】図１に示す記録装置においてＯＰＣを行う際に、記録媒体への試し書きの基準となるレーザー記録パワーを補正する方法の一例を説明するための図。
【符号の説明】
【００５４】
Ｄ…光ディスク（記録媒体）、ＰＩＣ…ピックアップ（レーザー光源）、６０…ＣＰＵ（制御手段）、ＦＭ…フラッシュメモリ、２０…データ記録部、２２…パワー選択部
【図１】
2009087437.tif 000003
【図２】
2009087437.tif 000004
【図３】
2009087437.tif 000005
【図４】
2009087437.tif 000006
【図５】
2009087437.tif 000007
【図６】
2009087437.tif 000008
【図７】
2009087437.tif 000009
【図８】
2009087437.tif 000010
【図９】
2009087437.tif 000011